(57)【要約】      （修正有）【課題】携帯電話の充電を可能とする商品を一括してパッケージングすることで、自動販売機に適する携帯電話充電器の缶詰を提供する。【解決手段】携帯電話充電器７の缶詰１は、有底円筒状をなし、一端が開閉可能な蓋で内部が密閉された缶を有する。そして、缶の中には、携帯電話充電器７が封入され、携帯電話充電器７は、緩衝材１７により被覆される。また、携帯電話充電器７は、ソーラーパネルとバッテリーと出力端子を備え、ソーラーパネルは、缶の高さより低い高さ寸法を有し、かつ缶の内径より小さな幅寸法の外形を備え、その外形の外面に露出して配置されている。バッテリーは、ソーラーパネルで太陽光発電した電荷を蓄え、そのバッテリーに蓄えられた電荷を携帯電話に充電するための出力端子を有する構成となる。そして、緩衝材１７は、携帯電話充電器７を外部の衝撃から保護するために、携帯電話充電器７を被覆する。【選択図】図２Ａ
0003154713.tif 000002
【実用新案登録請求の範囲】
【請求項１】
有底円筒状をなし、一端が開閉可能な蓋で内部が密閉された缶と、
その缶の高さより低い高さ寸法を有し、かつその缶の内径より小さな幅寸法の外形を備え、その外形の外面に露出して配置されたソーラーパネルと、そのソーラーパネルで太陽光発電した電荷を蓄えるバッテリーと、そのバッテリーに蓄えられた電荷を携帯電話に充電するための出力端子とを含む携帯電話用充電器と、
を備え、
前記携帯電話充電器は前記缶の中に収容された状態でその缶の一端が前記蓋で密封されるとともに、
前記缶は自動販売機に商品としてストック可能な形状であり、
前記携帯電話充電器が前記缶の中に収容された状態で、前記缶は前記自動販売機から商品として排出され、前記携帯電話機用充電器は前記缶が開封されて取り出され、前記携帯電話機の充電のために使用されることを特徴とする自動販売機に適する携帯電話充電器の缶詰。
【請求項２】
有底円筒状をなし、一端が開閉可能な蓋で内部が密閉された缶と、
その缶の高さより低い高さ寸法を有し、かつその缶の内径より小さな幅寸法の外形を備え、その外形の外面に露出して配置されたソーラーパネルと、そのソーラーパネルで太陽光発電した電荷を蓄えるバッテリーと、そのバッテリーに蓄えられた電荷を携帯電話に充電するための出力端子とを含む携帯電話用充電器と、
を備え、
前記携帯電話充電器は前記缶の中に収容された状態でその缶の一端が前記蓋で密封されるとともに、
前記缶の内壁と前記携帯電話機用充電器との間の隙間には、前記携帯電話用充電器の前記出力端子と前記携帯電話の入力端子とに、それぞれ着脱可能に連結される充電器側端子及び携帯電話側端子を有し、かつそれら充電器側端子と携帯電話側端子とが可撓性のあるコードで連結された充電用アダプタが収容され、
前記缶は自動販売機に商品としてストック可能な形状であり、
前記携帯電話充電器と充電用アダプタが前記缶の中に収容された状態で、前記缶は前記自動販売機から商品として排出され、前記携帯電話機用充電器と充電用アダプタは前記缶が開封されて取り出され、前記携帯電話機の充電のために使用されることを特徴とする自動販売機に適する携帯電話充電器の缶詰。
【請求項３】
前記携帯電話機用充電器の前記外形は、底面と前斜面と後面とからなる、横断面が扁平な三角形ないし楔形の柱状、棒状ないし板状をなし、
前記前斜面に前記ソーラーパネルが配置されるともに、内部に前記バッテリーが内蔵され、前記缶から取り出されて使用される際は、前記底面において所定場所に静置され、その際に前記前斜面に配置されたソーラーパネルが太陽光の側を向くようにして配置して使用される請求項１又は２に記載の自動販売機に適する携帯電話充電器の缶詰。
【請求項４】
前記充電用アダプタは、前記携帯電話用充電器の出力端子と着脱可能に接続される１個の充電器側端子と、互いに異なる複数種類の携帯電話の入力端子に選択的かつ着脱可能に接続可能な複数種類の携帯電話側端子とを有し、かつそれら複数種類の携帯電話側端子は本体に一体的に集約されるとともに、その本体の外縁の互いに異なる位置から外部に向けて突出し、さらにその本体と前記１個の充電器側端子とが前記可撓性のあるコードで連結されている請求項２又は３に記載の自動販売機に適する携帯電話充電器の缶詰。
【請求項５】
前記携帯電話機用充電器は、前記缶に収容された状態でその缶の高さ方向における一端部に照明用発光ダイオードを備え、かつその照明用発光ダイオードを前記バッテリーに蓄電された電荷で発光させるためのスイッチを含む請求項１ないし４のいずれか１項に記載の自動販売機に適する携帯電話充電器の缶詰。
【考案の詳細な説明】
【技術分野】
【０００１】
本考案は自動販売機に適する携帯充電器の缶詰に関するものである。
【背景技術】
【０００２】
携帯用バッテリーは、色々な規格の物が生産されているが、一般的に普及している自動販売機で販売することを前提とした設計のバッテリーケースは生産されていなかったため、自動販売機で販売することが可能な携帯用バッテリーケースを提供することが提案されている（特許文献１）。
【先行技術文献】
【特許文献】
【０００３】
【特許文献１】特開２００３−１３２４０４号公報
【考案の概要】
【考案が解決しようとする課題】
【０００４】
しかし、上述のバッテリーケースは、一般的な自動販売機で販売することを想定して外形設計した携帯用バッテリーケースであって、自動販売機で携帯用バッテリーケースを購入したとしても、コンビニエンスストア等により交換用の乾電池を購入しなければ、携帯電話が充電切れになったときに、即座に、携帯電話を使用することができなかった。つまり、携帯バッテリーケースのみを自動販売機で販売しても、充電切れとなった携帯電話を使用することができず、自動販売機に適する商品をパッケージングして販売されていなかった。
【０００５】
本考案の課題は、携帯電話の充電を可能とする商品を一括してパッケージングすることで、自動販売機に適する携帯電話充電器の缶詰を提供することにある。
【課題を解決するための手段及び考案の効果】
【０００６】
上記の課題を解決するために、請求項１に係る本考案の自動販売機に適する携帯電話充電器の缶詰は、
有底円筒状をなし、一端が開閉可能な蓋で内部が密閉された缶と、
その缶の高さより低い高さ寸法を有し、かつその缶の内径より小さな幅寸法の外形を備え、その外形の外面に露出して配置されたソーラーパネルと、そのソーラーパネルで太陽光発電した電荷を蓄えるバッテリーと、そのバッテリーに蓄えられた電荷を携帯電話に充電するための出力端子とを含む携帯電話用充電器と、
を備え、
携帯電話充電器は缶の中に収容された状態でその缶の一端が蓋で密封されるとともに、
缶は自動販売機に商品としてストック可能な形状であり、
携帯電話充電器が缶の中に収容された状態で、缶は自動販売機から商品として排出され、携帯電話機用充電器は缶が開封されて取り出され、携帯電話機の充電のために使用されることを特徴とする。
【０００７】
この場合、上記本考案の請求項２に係る自動販売機に適する携帯電話充電器の缶詰は、
有底円筒状をなし、一端が開閉可能な蓋で内部が密閉された缶と、
その缶の高さより低い高さ寸法を有し、かつその缶の内径より小さな幅寸法の外形を備え、その外形の外面に露出して配置されたソーラーパネルと、そのソーラーパネルで太陽光発電した電荷を蓄えるバッテリーと、そのバッテリーに蓄えられた電荷を携帯電話に充電するための出力端子とを含む携帯電話用充電器と、
を備え、
携帯電話充電器は缶の中に収容された状態でその缶の一端が蓋で密封されるとともに、
缶の内壁と携帯電話機用充電器との間の隙間には、携帯電話用充電器の出力端子と携帯電話の入力端子とに、それぞれ着脱可能に連結される充電器側端子及び携帯電話側端子を有し、かつそれら充電器側端子と携帯電話側端子とが可撓性のあるコードで連結された充電用アダプタが収容され、
缶は自動販売機に商品としてストック可能な形状であり、
携帯電話充電器と充電用アダプタが缶の中に収容された状態で、缶は自動販売機から商品として排出され、携帯電話機用充電器と充電用アダプタは缶が開封されて取り出され、携帯電話機の充電のために使用されることを特徴とする。
【０００８】
上記本考案の自動販売機に適する携帯電話充電器の缶詰は、缶に携帯電話用充電器が収容される。そして、その缶の一端が開閉可能な蓋で密封されるとともに、その状態で自動販売機に商品としてストックされる。そして、その商品購入者が自動販売機からその商品を購入すると、自動販売機から商品として排出される。そして、購入者が缶の蓋を開封し、携帯電話充電器が缶から取り出されて、携帯電話の充電のために使用される。
【０００９】
このように、自動販売機に適する携帯充電器の缶詰として、缶や茶筒等の容器により充電切れとなった携帯電話を即座に使用できるようにするための備品を一括してパッケージングすることにより、自動販売機で携帯電話充電器の缶詰を購入することにより、即座に、携帯電話を使用することが可能となるのみならず、パッケージとして既存の缶や茶筒を利用することにより、既存の缶や茶筒等の容器は大量生産が可能であるため、パッケージの生産コストを下げることが可能となる。
【００１０】
また、自動販売機に適する携帯電話充電器の缶詰は、商品購入者が、商品購入後に即座に使用することが可能となるように、携帯電話充電器は、充電された状態で販売されるため、特許文献１に記載のタバコのように紙でパッケージングされて保管又は陳列される場合には、紙は太陽光スペクトルを透過するので、ソーラーパネルの光電変換素子により、太陽電池が過充電されるおそれが生じる。また、仮に、太陽光スペクトルを遮断して保管することになると、保管場所の確保や商品の陳列に際して、手間がかかり、小売店側にとっても、扱いが困難となる。しかし、太陽光スペクトルを高効率で反射する缶、例えば、アルミニウム等の金属による缶や茶筒等の容器によりパッケージングすることにより、高効率で太陽光スペクトルが反射されるために、太陽光スペクトルが容器を透過して過充電されることを防止することができる。したがって、特に、自動販売機に適する携帯電話充電器の缶詰が長期間にわたり保管又は陳列されている場合においても、保管場所の確保や商品の陳列等についても、小売店側としては、従来からある商品と同様に扱うことができる。そして、アルミニウム等の金属による缶や茶筒等の容器により、高効率で太陽光スペクトルを反射するため、過充電を防止してソーラーパネルを用いた携帯電話充電器の商品としての信頼性を確保できる。
【００１１】
さらに、上述のように、包装用紙ではなくて、有底円筒状をなし、一端が開閉可能な蓋で内部が密閉された缶に、携帯電話充電器を封入することにより、特に、携帯電話充電器の外形が、底面と前斜面と後面からなる、横断面が扁平な三角形ないし楔形の柱状、棒状ないし板状をなす場合には、ソーラーパネルが直接的に、缶の内側面と触れないため、携帯電話充電器のソーラーパネル面の光電変換素子を損傷することがなくなる。この場合、包装用紙の場合には、包装用紙の形状が、直方体となっていることにより、包装用紙の内側面に光電変換素子と面接触するため光電変換素子を損傷する可能性が生じ、また、仮に、損傷を生じないように、光電変換素子を保護するために、十分な保護構造（緩衝材等で保護する等）を採用する場合には、生産コストの増大のみならず、携帯電話充電器のパッケージングの際、パッケージング工程が煩雑する。よって、パッケージングに缶や茶筒等の容器を採用することにより、商品としての携帯電話充電器の信頼性を高めることが可能となる。
【００１２】
一方、自動販売機に適する容器として販売することにより、一般的な自動販売機で販売することが可能となるのは、当然、コンビニエンスストア等においても、既存の缶や茶筒と同じ形状の容器に封入して販売することにより、既存の清涼飲料水等と同様に販売することが可能となるため、小売店等においても、保管や販売の観点においても、非常に扱いの良い商品を提供することが可能となる。
【００１３】
そして、商品購入者においては、缶や茶筒等の容器に封入して販売することで、誰しもが気軽に購入したことがある清涼飲料水等と同様のパッケージや販売形態となることから、従来の家電製品に比べて、商品購入者の商品購入に対する心理的負担を軽減することが可能となる。
【００１４】
また、本考案において携帯電話用充電器の外形は、上述したように、底面と前斜面と後面とからなる、横断面が扁平な三角形ないし楔形の柱状、棒状ないし板状をなす。そして、前斜面にソーラーパネルが配置されるともに、内部にバッテリーが内蔵される。また、使用される際は、缶から取り出されて、底面が所定場所に静置され、前斜面に配置されたソーラーパネルが太陽光の側を向くように配置して使用される。これにより、前例のないソーラーパネルがあることから、例えば、底面において所定場所に置くことで、ソーラーパネルを太陽光側に向かわせることにより、太陽光発電の効果を高めることができる。さらに、ソーラーパネルにより、従来の携帯用バッテリーケースとは異なり、一度、この自動販売機に適する携帯充電器の缶詰を購入するだけで、半永久的に携帯電話の充電が可能となる。
【００１５】
また、本考案において、充電用アダプタは、携帯電話用充電器の出力端子と着脱可能に接続される１個の充電器側端子と、互いに異なる複数種類の携帯電話の入力端子に選択的かつ着脱可能に接続可能な複数種類の携帯電話側端子とを有する。そして、それら複数種類の携帯電話側端子は本体に一体的に集約される。さらに、その本体の外縁の互いに異なる位置から外部に向けて突出して、その本体と１個の充電器側端子とが可撓性のあるコードで連結される。このようにすれば、缶詰の購入者の携帯電話の機種に対応する携帯電話側端子を備えるので、購入者の携帯電話の機種に汎用的に対応することができる。
【００１６】
次に、本考案の携帯電話機用充電器は、缶に収容された状態でその缶の高さ方向における一端部に照明用発光ダイオードを備え、かつその照明用発光ダイオードをバッテリーに蓄電された電荷で発光させるためのスイッチを含む。そのため、携帯電話の充電機能のみならず、携帯照明器具としても使用でき、例えば、災害時の非常用照明器具としても使用できる。
【図面の簡単な説明】
【００１７】
【図１】本考案の自動販売機に適する携帯電話充電器の缶詰の展開図。
【図２Ａ】本考案の自動販売機に適する携帯電話充電器の缶詰の一実施形態を示す斜視図。
【図２Ｂ】本考案の自動販売機に適する携帯電話充電器の缶詰の断面図及び直方体の包装用紙に携帯電話充電器を封入した断面図。
【図３】本考案の充電用アダプタを示す図。
【図４】本考案のソーラーパネル及び携帯電話充電器を示す図。
【図５Ａ】本考案の携帯電話充電器の使用状態を示した使用図。
【図５Ｂ】本考案の充電用アダプタをパソコンと接続し、携帯電話を充電している図。
【図６】本考案の缶がプルトップ缶を示す図。
【図７】本考案のソーラーパネルの回路図１。
【図８】本考案のソーラーパネルの回路図２。
【考案を実施するための形態】
【００１８】
以下、本考案を実施するための形態を添付を図面を用いて説明する。図１は、本考案の自動販売機に適する携帯電話充電器７の缶詰１の内容物を展開した図であり、図２Ａは、本考案の自動販売機に適する携帯電話充電器７の缶詰１の一実施例を示す図である。本考案の自動販売機に適する携帯電話充電器７の缶詰１は、図１に示すように、有底円筒状をなし、一端が開閉可能な蓋で内部が密閉された缶２を有する。そして、缶２の中には、携帯電話充電器７が封入され、携帯電話充電器７は、緩衝材１７により被覆される。また、携帯電話充電器７は、ソーラーパネル３とバッテリー４と出力端子６を備え、ソーラーパネル３は、缶２の高さより低い高さ寸法を有し、かつ缶２の内径より小さな幅寸法の外形を備え、その外形の外面に露出して配置されている。バッテリー４は、ソーラーパネル３で太陽光発電した電荷を蓄え、そのバッテリー４に蓄えられた電荷を携帯電話５に充電するための出力端子６を有する構成となる。そして、緩衝材１７は、携帯電話充電器７を外部の衝撃から保護するために、携帯電話充電器７を被覆する。
【００１９】
そして、携帯電話充電器７は缶２の中に収容される。その収容された状態で缶２の一端が蓋で密封される。また、缶２は自動販売機に商品としストック可能な形状であり、携帯電話充電器７が缶２の中に収容された状態で、缶２は自動販売機から商品として排出され、携帯電話充電器７は缶２を開封して取り出され、携帯電話５を充電するために使用される。
【００２０】
また、図２Ｂに示すように、缶２の内壁と携帯電話充電器７との間には隙間９を有し、その隙間９には、図３に示す可撓性のあるコード１３で連結された充電用アダプタ１４が収容される。そして、収容するに際して、充電用アダプタ１４と携帯電話充電器７は図１に示す緩衝材１７に包まれ収容されることにより、緩衝材１７により、外部からの衝撃を吸収することができる。これにより、携帯電話充電器７と充電用アダプタ１４は自動販売機での販売においても十分耐えうる構成となる。
【００２１】
そして、携帯電話充電器７は缶２の中に収容される。その収容された状態で缶２の一端が蓋で密封される。また、缶２は自動販売機に商品としストック可能な形状であり、携帯電話充電器７と充電用アダプタ１４が缶２の中に収容された状態で、缶２は自動販売機から商品として排出され、携帯電話充電器７と充電用アダプタ１４が缶２を開封して取り出され、携帯電話５を充電するために使用される。
【００２２】
より具体的には、商品購入者は自動販売機から商品を購入して、商品として排出された缶２の蓋を開封する。開封後、緩衝材１７に包まれた携帯電話充電器７と充電用アダプタ１４が缶２からとり取り出し、図５Ｂに示す使用図のように携帯電話５の充電のために使用することになる。また、図５Ａに示すように、充電器側端子１１をパソコンＰＣに接続することにより、携帯電話５を充電することもできる。
【００２３】
一方、図４に示すように、携帯電話機用充電器７の外形は、底面と前斜面と後面とからなる、横断面が扁平な三角形ないし楔形の柱状、棒状ないし板状をなす。そして、前斜面にソーラーパネル３が配置されるともに、内部にバッテリー４が内蔵される。また、使用される際は、缶２から取り出されて、底面が所定場所に静置され、前斜面に配置されたソーラーパネル３が太陽光の側を向くように配置して使用される。
【００２４】
また、充電用アダプタ１４は、携帯電話用充電器７の出力端子６と着脱可能に接続される１個の充電器側端子１１と、互いに異なる複数種類の携帯電話５の入力端子に選択的かつ着脱可能に接続可能な複数種類の携帯電話側端子１２とを有する。そして、それら複数種類の携帯電話側端子１２は本体に一体的に集約される。さらに、その本体の外縁の互いに異なる位置から外部に向けて突出して、その本体と１個の充電器側端子１２とが可撓性のあるコード１３で連結される。
【００２５】
なお、携帯電話充電器７は、缶２に収容された状態でその缶２の高さ方向における一端部に照明用発光ダイオード１５を備え、かつその照明用発光ダイオード１５をバッテリー４に蓄電された電荷で発光させるためのスイッチ１６を含む構成を有する。また、携帯電話充電器７は、主電源スイッチ２２を同時に備えることもできる。
【００２６】
以下、自動販売機に適する携帯電話充電器７の缶詰１の使用態様と効果について説明する。自動販売機に適する携帯電話充電器７の缶詰１は、有底円筒状をなし、一端が開閉可能な蓋で内部が密閉された缶２を有する。このように缶２や茶筒等の容器によりパッケージングすることにより、パッケージングの生産コストを下げることが可能となる。
【００２７】
さらに、太陽光スペクトルを高効率で反射する缶、例えば、アルミニウム等の金属による缶２や茶筒等の容器によりパッケージングすることにより、高効率で太陽光スペクトルが反射されるために、太陽光スペクトルが容器を透過して過充電されることを防止することができる。そのため、ソーラーパネル３を用いた携帯電話充電器７の商品としての信頼性を確保できる。
【００２８】
また、缶２がワンタッチで開封可能な構造、例えば、図６に示すようなプルトップ缶ＰＫ、図１に示す缶２や茶筒等の包装にミシン目２１を設けることにより開封可能とする構造を採用することにより、緊急時においても、即座に携帯用充電器７を使用することが可能となる。
【００２９】
より具体的には、ワンタッチで開封可能な缶２や茶筒等の容器に携帯電話充電器７を封入することにより、簡易に開封することが可能となるため、緊急時において即座に携帯電話に携帯電話充電器を接続することが可能であるため、携帯電話の充電が切れ、緊急性を要する場合において、携帯電話を使用するための備品が全てパッケージングされているため即座に携帯電話を使用することが可能となる。
【００３０】
そして、缶２の中には、携帯電話充電器７が封入され、携帯電話充電器７は、緩衝材１７により被覆される。この緩衝材１７により、携帯電話充電器７に対しての外部からの衝撃を吸収することが可能となり、自動販売機に適する携帯電話充電器７の缶詰１を提供することができる。また、自動販売機に適する容器として販売することにより、一般的な自動販売機で販売することが可能となる。当然、小売店等においても、既存の缶や茶筒と同じ形状の容器に封入して販売することにより、保管や販売の観点においても、非常に扱いの良い商品を提供することが可能となる。一方、購入者においては、缶２や茶筒等の容器に封入して販売することで、清涼飲料水等と同様のパッケージや販売形態となることから、従来の家電製品に比べて、商品購入に対する心理的負担を軽減することが可能となる。
【００３１】
また、携帯電話充電器７は、ソーラーパネル３とバッテリー４と出力端子６を備え、ソーラーパネル３は、缶２の高さより低い高さ寸法を有し、かつ缶２の内径より小さな幅寸法の外形を備え、その外形の外面に露出して配置されている。バッテリー４は、ソーラーパネル３で太陽光発電した電荷を蓄え、そのバッテリー４に蓄えられた電荷を携帯電話５に充電するための出力端子６を有する構成となる。これにより、従来の携帯用バッテリーケースとは異なり、一度、携帯電話充電器７の缶詰１を購入するだけで、半永久的に携帯電話充電器７の使用が可能となり、ランニングコストの安い商品を提供することができる。
【００３２】
より、具体的には、携帯電話充電器７の外形は、底面と前斜面と後面とからなる、横断面が扁平な三角形ないし楔形の柱状、棒状ないし板状をなす。そして、前斜面にソーラーパネルが配置されるともに、内部にバッテリーが内蔵される。そのため、使用の際は、底面が所定場所に静置され、前斜面に配置されたソーラーパネルが太陽光の側を向くように配置されることから、太陽光発電の効果を高めることができる。
【００３３】
さらに、缶２が有底円筒状をなし、一端が開閉可能な蓋で内部が密閉されており、そこに携帯電話充電器７を封入するため、上述のように、携帯電話充電器７の外形が、底面と前斜面と後面からなる、横断面が扁平な三角形ないし楔形の柱状、棒状ないし板状をなす場合には、ソーラーパネル３が直接的に、缶２の内側面と触れないため、携帯電話充電器のソーラーパネル面の光電変換素子を損傷することがなくなる。よって、ソーラーパネル３の信頼性を高めることが可能となる。
【００３４】
また、充電用アダプタ１４は、携帯電話充電器７の出力端子６と着脱可能に接続される１個の充電器側端子１１と、互いに異なる複数種類の携帯電話５の入力端子に選択的かつ着脱可能に接続可能な複数種類の携帯電話側端子１２とを有する。そして、それら複数種類の携帯電話側端子１２は本体に一体的に集約される。さらに、その本体の外縁の互いに異なる位置から外部に向けて突出して、その本体と１個の充電器側端子１１とが可撓性のあるコード１３で連結される。このようにすれば、缶詰１の購入者の携帯電話５の機種に対応する携帯電話側端子１２を備えるので、購入者の携帯電話５の機種に汎用的に対応することができる。
【００３５】
さらに携帯電話充電器７は、缶２に収容された状態でその缶２の高さ方向における一端部に照明用発光ダイオード１５を備え、かつその照明用発光ダイオード１５をバッテリー４に蓄電された電荷で発光させるためのスイッチ１６を含む。そのため、携帯電話５の充電機能のみならず、携帯照明器具としても使用でき、例えば、災害時の非常用照明器具としても使用できる。
【００３６】
図７は、バッテリー４の内部の回路構成をより詳しく図示する図である。ソーラーパネル３には、多数の光電変換素子１８（太陽電池）が配置され、そこで得られた電力が逆流ダイオード１９を介して、バッテリー４に蓄電される。バッテリー４に蓄電される電圧が過度に上がらないように、バッテリー４と並列に過充電防止ツェナーダイオード２０が設けられ、バッテリー４に設定量まで蓄電されると、このダイオード２０を介して電荷が逃がされる。バッテリー４と回路を切り離す主電源スイッチ２２は、バッテリー４及びＵＳＢのめす口６と直列に組み込まれている。この主電源スイッチ２２により、バッテリー４内部における自然放電を防止することが可能となる。なお、図８は、図７の回路図に照明スイッチ１６と照明用発光ダイオード１５がバッテリー４及びＵＳＢめす口６と並列に組み込まれたものである。
【符号の説明】
【００３７】
１  自動販売機に適する携帯充電器の缶詰
２  缶
３  ソーラーパネル
４  バテッリー
５  携帯電話
６  出力端子（ＵＳＢメス口）
７  携帯電話充電器
９  隙間
１１  充電器側端子
１２  携帯電話側端子
１３  可撓性のあるコード
１４  充電用アダプタ
１５  照明用発光ダイオード
１６  スイッチ
１７  緩衝材
１８  光電変換素子（太陽電池）
１９  逆流ダイオード
２０  過充電防止ツェナーダイオード
２１  ミシン目
２２  主電源スイッチ
ＰＣ  パソコン
ＰＫ  プルトップ缶
【図１】
0003154713.tif 000003
【図２Ａ】
0003154713.tif 000004
【図２Ｂ】
0003154713.tif 000005
【図３】
0003154713.tif 000006
【図４】
0003154713.tif 000007
【図５Ａ】
0003154713.tif 000008
【図５Ｂ】
0003154713.tif 000009
【図６】
0003154713.tif 000010
【図７】
0003154713.tif 000011
【図８】
0003154713.tif 000012